(57)【要約】【課題】割れや剥がれの発生を防止した光吸収層を備える、外観が良好な反射スクリーン及びその製造方法の提供。【解決手段】本発明による反射スクリーンは、レンズ面及び非レンズ面を備える単位レンズが複数配列されたフレネルレンズ形状を背面側に有するレンズ層と、レンズ層の前記レンズ面上に形成される反射層と、レンズ層及び前記反射層の背面側に形成される光吸収層と、を備えてなり、単位レンズの略三角形状の頂部から前記光吸収層の背面側の端までの寸法が４〜７μｍであり、光吸収層が、−２０〜４０℃のＴｇを有する樹脂と、光吸収材料とを含むものである。【選択図】図２
2015068943.tif 000002
【特許請求の範囲】
【請求項１】
映像源から投射される映像光を反射させて観察可能に表示する反射スクリーンであって、
レンズ面及び非レンズ面を備え、背面側に凸となる単位レンズが複数配列されたレンズ層と、
少なくとも前記レンズ面上に形成され、光を反射する反射層と、
前記レンズ層及び前記反射層の背面側に形成される、光吸収層と、
を備えてなり、
前記単位レンズの略三角形状の頂部から前記光吸収層の背面側の端までの寸法が４〜７μｍであり、
前記光吸収層が、−２０〜４０℃のＴｇを有する樹脂と、光吸収材料とを含む、反射スクリーン。
【請求項２】
前記樹脂が、ウレタン系樹脂、アクリル系樹脂、及びアクリルウレタン系樹脂からなる群から選択される少なくとも一種を含む、請求項１に記載の反射スクリーン。
【請求項３】
前記光吸収材料が、黒色顔料を含む、請求項１または２に記載の反射スクリーン。
【請求項４】
前記レンズ層が、フレネルレンズ形状を有する、請求項１〜３のいずれか一項に記載の反射スクリーン。
【請求項５】
映像源から投射される映像光を反射させて観察可能に表示し、
レンズ面及び非レンズ面を備え、背面側に凸となる単位レンズが複数配列されたレンズ層と、
少なくとも前記レンズ面上に形成され、光を反射する反射層と、
前記レンズ層及び前記反射層の背面側に形成される、光吸収層と、
を備えてなる、反射スクリーンの製造方法であって、
前記レンズ面上に、光を反射する反射層を形成する工程と、
前記レンズ層及び前記反射層が形成された面に、−２０〜４０℃のＴｇを有する樹脂と、光吸収材料とを含む光吸収層形成用樹脂組成物を塗布して、光吸収層を形成する工程と、
を含んでなり、
前記単位レンズの略三角形状の頂部から前記光吸収層の背面側の端までの寸法が４〜７μｍである、反射スクリーンの製造方法。
【請求項６】
請求項１〜４のいずれか一項に記載の反射スクリーンと、
前記前記反射スクリーンに映像光を投射する映像源と、
を備えてなる、映像表示システム。
【発明の詳細な説明】
【技術分野】
【０００１】
本発明は、投射された映像光を反射して画面に映像を表示する反射スクリーン及びその製造方法、並びに該反射スクリーンを備える映像表示システムに関するものである。
【背景技術】
【０００２】
近年、反射型や透過型等の各種スクリーンを備える表示装置や表示システムが、様々な用途で利用され、その光学特性等に関して、様々な開発が行われている。例えば、反射スクリーンでは、至近距離から比較的大きな入射角度で映像光を投写して大画面表示を実現する短焦点型の映像投射装置（プロジェクタ）等が広く利用されており、このような短焦点型の映像投射装置に対応した反射スクリーンの開発が行われている（例えば、特許文献１）。
【０００３】
このような短焦点型の映像投射装置は、反射スクリーンに対して、上方又は下方から従来の映像源よりも大きな角度で映像光を投射することができ、反射スクリーンを用いた映像表示システムの省スペース化等に寄与している。
【先行技術文献】
【特許文献】
【０００４】
【特許文献１】特開２００８−７６５２３号公報
【特許文献２】特開２０１３−６８６７６号公報
【発明の概要】
【発明が解決しようとする課題】
【０００５】
上述のような短焦点型の映像投射装置に対応した反射スクリーンでは、各レンズ形状を構成する単位レンズのレンズ形状の表面に反射層を形成し、投影された映像光を反射して映像を表示する。このような反射スクリーンの中には、映像光の反射に寄与しない非レンズ面に光を吸収する作用を有する光吸収層を形成することにより、外光や迷光等を吸収させ、コントラストの向上等を図ったものがある（例えば、特許文献２）。しかし、本発明者らは、光吸収層を形成する際に、光吸収層形成用樹脂組成物の乾燥収縮によりレンズ層の頂部付近で割れが発生し、光漏れが起こるという技術的課題を知見した。
【０００６】
本発明は、上記の背景技術および新たに知見した問題に鑑みてなされたものであり、その目的は、割れや剥がれの発生を防止した光吸収層を備える、外観が良好な反射スクリーン及びその製造方法の提供することにある。また、良好な映像を表示可能な該反射スクリーンを備える映像表示システムを提供することにある。
【課題を解決するための手段】
【０００７】
本発明者らは上記課題を解決するため、鋭意検討した結果、特定の樹脂を含む光吸収層形成用樹脂組成物を用いて、光吸収層を特定の厚みで形成することで、上記課題を解決できることを知見した。本発明は、かかる知見に基づいて完成されたものである。
【０００８】
すなわち、本発明の一態様によれば、
映像源から投射される映像光を反射させて観察可能に表示する反射スクリーンであって、
レンズ面及び非レンズ面を備え、背面側に凸となる単位レンズが複数配列されたレンズ層と、
少なくとも前記レンズ面上に形成され、光を反射する反射層と、
前記レンズ層及び前記反射層の背面側に形成される、光吸収層と、
を備えてなり、
前記単位レンズの略三角形状の頂部から前記光吸収層の背面側の端までの寸法が４〜７μｍであり、
前記光吸収層が、−２０〜４０℃のＴｇを有する樹脂と、光吸収材料とを含む、反射スクリーンが提供される。
【０００９】
本発明の態様においては、前記樹脂が、ウレタン系樹脂、アクリル系樹脂、及びアクリルウレタン系樹脂からなる群から選択される少なくとも一種を含むことが好ましい。
【００１０】
本発明の態様においては、前記光吸収材料が、黒色顔料を含むことが好ましい。
【００１１】
本発明の態様においては、前記レンズ層が、フレネルレンズ形状を有することが好ましい。
【００１２】
本発明の他の態様によれば、
映像源から投射される映像光を反射させて観察可能に表示し、
レンズ面及び非レンズ面を備え、背面側に凸となる単位レンズが複数配列されたレンズ層と、
少なくとも前記レンズ面上に形成され、光を反射する反射層と、
前記レンズ層及び前記反射層の背面側に形成される光吸収層と、
を備えてなる、反射スクリーンの製造方法であって、
前記レンズ面上に、光を反射する反射層を形成する工程と、
前記レンズ層及び前記反射層が形成された面に、−２０〜４０℃のＴｇを有する樹脂と、光吸収材料とを含む光吸収層形成用樹脂組成物を塗布して、光吸収層を形成する工程と、
を含んでなり、
前記単位レンズの略三角形状の頂部から前記光吸収層の背面側の端までの寸法が４〜７μｍである、反射スクリーンの製造方法が提供される。
【００１３】
本発明の更なる他の態様によれば、
上記の反射スクリーンと、
前記前記反射スクリーンに映像光を投射する映像源と、
を備えてなる、映像表示システムが提供される。
【発明の効果】
【００１４】
本発明によれば、割れや剥がれの発生を防止した光吸収層を備える、外観が良好な反射スクリーン及びその製造方法を提供することができる。また、良好な映像を表示可能な該反射スクリーンを備える映像表示システムを提供することができる。
【図面の簡単な説明】
【００１５】
【図１】実施形態の映像表示システム１を説明する図である。
【図２】実施形態の反射スクリーン１０の層構成を説明する図である。
【図３】実施形態のレンズ層１３を説明する図である。
【図４】実施例１の反射スクリーンの断面の電子顕微鏡写真である。
【図５】比較例１の反射スクリーンの断面の電子顕微鏡写真である。
【発明を実施するための形態】
【００１６】
以下、図面等を参照して、本発明の実施形態について説明する。なお、図１を含め、以下に示す各図は、模式的に示した図であり、各部の大きさ、形状は、理解を容易にするために、適宜誇張している。また、本明細書中に記載する各部材の寸法等の数値及び材料名等は、実施形態としての一例であり、これに限定されるものではなく、適宜選択して使用してよい。さらに、本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１７】
図１は、本実施形態の映像表示システム１を説明する図である。図１（ａ）は、映像表示システム１の斜視図であり、図１（ｂ）は、映像表示システム１の側面図である。映像表示システム１は、反射スクリーン１０、映像源ＬＳ等を有している。この映像表示システム１は、映像源ＬＳから投影された映像光Ｌを反射スクリーン１０が反射して、その画面上に映像を表示する。本実施形態の映像表示システム１は、フロントプロジェクションテレビシステム等として用いることができる。
【００１８】
映像源ＬＳは、映像光Ｌを反射スクリーン１０へ投射する映像光投射装置である。本実施形態の映像源ＬＳは、汎用の短焦点型プロジェクタである。この映像源ＬＳは、使用状態において、反射スクリーン１０の画面を正面方向（スクリーン面の法線方向）から見た場合に、反射スクリーン１０の画面左右方向において中央であって、反射スクリーン１０の画面（表示領域）よりも下方側であって観察者側となる位置に配置されている。映像源ＬＳは、反射スクリーン１０のスクリーン面の法線方向（反射スクリーン１０の厚み方向）における反射スクリーン１０との距離が、従来の汎用プロジェクタに比べて大幅に近い位置から映像光Ｌを投射できる。即ち、この映像源ＬＳは、従来の汎用プロジェクタに比べて、反射スクリーン１０までの投射距離が短く、その映像光Ｌの反射スクリーン１０に対する入射角度が従来のものに比べて大きい。
【００１９】
なお、スクリーン面とは、この反射スクリーン１０全体として見たときにおける、反射スクリーン１０の平面方向となる面を示すものとする。本実施形態において、反射スクリーン１０のスクリーン面は、反射スクリーン１０の画面に平行である。
【００２０】
反射スクリーン１０は、映像源ＬＳが投射した映像光Ｌを観察者Ｏ側へ向けて反射し、映像を表示するスクリーンである。使用状態において、本実施形態の反射スクリーン１０の画面は、観察者Ｏ側から見て、長辺方向が画面左右方向となる略矩形状であるとする。以下の説明中において、画面上下方向、画面左右方向、厚み方向とは、特に断りが無い場合、この反射スクリーン１０の使用状態における画面上下方向（鉛直方向）、画面左右方向（水平方向）、厚み方向（奥行き方向）であるとする。
【００２１】
反射スクリーン１０は、その背面側に、平板状の支持板５０が、粘着材等からなる不図示の接合層を介して設けられており、この支持板５０により、その平面性を維持している。なお、これに限らず、反射スクリーン１０は、不図示の枠部材等によって支持され、その平面性を維持する形態としてもよい。この支持板５０は、剛性が高く、光透過性を有しない平板状の部材である。この反射スクリーン１０は、例えば、対角８０インチや１００インチ等の大きな画面（表示領域）を有している。
【００２２】
図２は、本実施形態の反射スクリーン１０の層構成を説明する図である。図２では、反射スクリーン１０の画面（表示領域）の幾何学的中心となる点Ａ（図１（ａ）、（ｂ）参照）を通り、画面上下方向に平行であって、スクリーン面に直交（厚み方向に平行）な断面の一部を拡大して示している。反射スクリーン１０は、その映像源側（観察者側）から順に、表面層１５、基材層１４、レンズ層１３、反射層１２、光吸収層１１等を備えている。以下に、各層について説明する。
【００２３】
基材層１４は、観察者側に、表面層１５が一体に形成され、背面側（裏面側）に、レンズ層１３が一体に形成されている。この基材層１４は、レンズ層１３を形成する基材（ベース）となる層である。基材層１４は、光拡散層１４１と、着色層１４２とを有し、これらが一体に積層されている。本実施形態では、図２（ａ）に示すように、光拡散層１４１が背面側であり、着色層１４２が観察者側（映像源側）に位置する例を示したが、これに限らず、光拡散層１４１が観察者側に位置し、着色層１４２が背面側に位置する形態としてもよい。
【００２４】
光拡散層１４１は、光透過性を有する樹脂と、光を拡散する拡散材とを含み、光を拡散する作用を有する層である。この光拡散層１４１は、視野角を広げたり、明るさの面内均一性の向上を図ったりする機能を有する。光拡散層１４１を形成する樹脂としては、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂、ＰＥＮ（ポリエチレンナフタレート）樹脂等を用いることができる。
【００２５】
この光拡散層１４１の厚さは、反射スクリーン１０の画面サイズにもよるが、約１５０〜３０００μｍ（約０．１５〜３ｍｍ）とすることが好ましい。また、拡散材としては、アクリル系樹脂、エポキシ樹脂、シリコーン系等の樹脂製の粒子や無機粒子等を用いることができ、その平均粒径が約１〜５０μｍであるものを使用ですることが好ましい。
【００２６】
着色層１４２は、所定の透過率とするための灰色や黒色等の染料や顔料等の着色材により着色が施された層である。この着色層１４２は、反射スクリーン１０に入射する照明光等の不要な外光や迷光を吸収し、映像のコントラストを向上させる機能を有する。着色層１４２は、染料や顔料等を含有するＰＥＴ樹脂や、ＰＣ樹脂、ＭＳ樹脂、ＭＢＳ樹脂、アクリル系樹脂、ＴＡＣ樹脂、ＰＥＮ樹脂等により形成することが好ましい。また、着色材としては、グレー系や黒色系等の暗色系の染料や顔料等や、カーボンブラック、グラファイト、黒色酸化鉄等の金属塩等を用いることができる。着色層１４２の厚さは、反射スクリーン１０の画面サイズにもよるが、約３０〜３０００μｍとすることが好ましい。本実施形態の基材層１４は、光拡散層１４１と着色層１４２とを共押出成形することにより、これらの層が一体に積層されて形成されている。
【００２７】
図３は、本実施形態のレンズ層１３を説明する図である。図３（ａ）は、レンズ層１３を背面側正面方向から観察した様子を示しており、理解を容易にするために、反射層１２や光吸収層１１は省略して示している。図３（ｂ）は、図２に示す断面の一部分を示すものである。レンズ層１３は、基材層１４の背面側に設けられた光透過性を有する層であり、フレネルレンズ形状を有することが好ましい。本実施形態のレンズ層１３は、図３（ａ）に示すように、背面側の面に、点Ｃを中心として、単位光学要素である単位レンズ１３１が同心円状に複数配列されたサーキュラーフレネルレンズ形状を有している。
【００２８】
本実施形態では、この単位レンズ１３１が配列されて形成されるサーキュラーフレネルレンズは、反射スクリーン１０の画面を正面方向（スクリーン面の法線方向）から見た場合に、その光学的中心であるフレネルセンターのある点Ｃが、反射スクリーン１０の画面左右方向において中央であって、反射スクリーン１０の画面（表示領域）の領域外の下方に位置している。なお、本実施形態では、上述のようにレンズ層１３が背面側の面にサーキュラーフレネルレンズを有する例を挙げて説明するが、背面側の面にリニアフレネルレンズを有する形態としてもよい。
【００２９】
単位レンズ１３１は、図２、図３（ｂ）に示すように、スクリーン面に直交する方向（反射スクリーン１０の厚み方向）に平行であって、単位レンズ１３１の配列方向に平行な断面における断面形状が、略三角形形状である。この単位レンズ１３１は、背面側に凸であり、レンズ面１３２と、このレンズ面１３２と対向する非レンズ面１３３とを備えている。反射スクリーン１０の使用状態において、レンズ面１３２は、頂点ｔを挟んで非レンズ面１３３よりも鉛直方向上側に位置している。
【００３０】
単位レンズ１３１において、図３（ｂ）に示すように、レンズ面１３２がスクリーン面に平行な面となす角度は、αであり、非レンズ面１３３がスクリーン面に平行な面となす角度は、β（β＞α）である。また、単位レンズ１３１の配列ピッチは、Ｐであり、単位レンズ１３１のレンズ高さ（スクリーンの厚み方向における頂点ｔから単位レンズ１３１間の谷底となる点ｖまでの寸法）は、ｈである。理解を容易にするために、図２等では、単位レンズ１３１の配列ピッチＰ、角度α，βは、単位レンズ１３１の配列方向において一定であるように示している。しかし、本実施形態の単位レンズ１３１は、実際には、配列ピッチＰ等が一定であるが、角度αが単位レンズ１３１の配列方向においてフレネルセンターとなる点Ｃから離れるにつれて次第に大きくなる形態となっている。
【００３１】
なお、これに限らず、角度α等は、一定としてもよいし、配列ピッチＰが、単位レンズ１３１の配列方向に沿って次第に変化する形態としてもよい。角度α，β、配列ピッチＰ等は、映像光を投影する映像源ＬＳの画素（ピクセル）の大きさや、映像源ＬＳの投射角度（反射スクリーン１０のスクリーン面への映像光の入射角度）、反射スクリーン１０の画面サイズ、各層の屈折率等に応じて、適宜変更可能である。
【００３２】
レンズ層１３は、ウレタンアクリレートやエポキシアクリレート等の紫外線硬化型樹脂により形成されている。なお、レンズ層１３は、電子線硬化型樹脂等の他の電離放射線硬化型樹脂により形成してもよい。本実施形態のレンズ層１３は、例えば、基材層１４の一方の面（本実施形態では、光拡散層１４１側の面）を、紫外線硬化型樹脂が充填されたサーキュラーフレネルレンズ形状を賦形する成形型に押圧し、紫外線を照射して硬化させた後に成形型から離型するといった紫外線成形法等により形成している。そのため、このレンズ層１３を形成する紫外線硬化型樹脂等には、金型からの離型性を向上させるための離型剤等の各種添加剤を配合してもよい。
【００３３】
また、レンズ層１３は、熱可塑性樹脂を用いてもよく、レンズ層１３のフレネルレンズ形状に応じて、プレス成形法や射出成形法、押出成形法等により形成してもよい。このようなレンズ層１３の場合には、不図示の接合層等を介して、その映像源側に基材層１４（光拡散層１４１）等を積層する形態としてもよい。また、押出成形法が可能な場合には、レンズ層１３と基材層１４とを一体に積層した状態で成形してもよい。
【００３４】
反射層１２は、光を反射する作用を有する層である。この反射層１２は、少なくともレンズ面１３２に形成される。本実施形態では、反射層１２は、図２や図３（ｂ）に示すように、レンズ面１３２に形成されているが、非レンズ面１３３には形成されていない形態となっている。なお、反射層１２は、光を反射しない程度の薄さであれば、非レンズ面１３３の少なくとも一部に形成された形態としてもよい。反射層１２は、レンズ面１３２上に、アルミニウムや銀、ニッケル等の金属を蒸着する、スパッタリングする、又は、金属箔を転写する等により形成することが好ましい。また、反射層１２は、白色又は銀色系の塗料や、白色又は銀色系の顔料やビーズ等を含有する紫外線硬化型樹脂又は熱硬化性樹脂、銀やアルミニウム等の金属蒸着膜や金属箔等を粉砕した粒子や微小なフレークを含む塗料等を、スプレーコートや、ダイコート、スクリーン印刷、ワイピングによる溝充填等の各種塗布方法により塗布して硬化させることにより形成することも可能である。本実施形態の反射層１２は、アルミニウム等をレンズ面１３２に蒸着することにより形成されている。
【００３５】
光吸収層１１は、反射層１２及びレンズ層１３の背面側に、これらを被覆するように設けられており、光を吸収する作用を有する層である。この光吸収層１１は、単位レンズ１３１間の谷部等を十分に充填しており、また、光吸収層１１の背面側の面は、不図示の粘着層を介して支持板５０の映像源側の面と接合されている。光吸収層１１は、図２等に示すように、非レンズ面１３３上に形成された形態となっているので、観察者側から入射した外光等を吸収して、コントラストを向上させることができる。特に、支持板５０が光透過性を有する場合等は、背面側から入射した外光を光吸収層１１が吸収することで、コントラストの低下を抑制することもできる。さらに、光吸収層１１は、反射層１２の酸化等の劣化やこれによる剥離等を抑制する機能を有することが好ましく、例えば、反射層１２等を保護するための酸化防止機能や防湿機能、紫外線吸収機能等を有していることが好ましい。
【００３６】
光吸収層１１は、特定のガラス転移温度（Ｔｇ）を有する樹脂と、光吸収材料とを含むものである。光吸収層１１を形成する樹脂のＴｇは、−２０〜４０℃であり、好ましくは−１５〜３５℃、より好ましくは−１０〜３０℃である。樹脂のＴｇが上記範囲内であれば、光吸収層を形成する際の乾燥収縮による割れや剥がれの発生を抑制することができる。このような樹脂は、熱硬化型樹脂であってもよいし、紫外線硬化型樹脂であってもよい。例えば、ウレタン系樹脂、アクリル系樹脂、及びアクリルウレタン系樹脂等が挙げられる。また、光吸収材料としては、カーボンブラック等の黒色顔料や他色の顔料、光吸収作用を有するビーズ等を用いることができる。光吸収効率の観点から、黒色顔料を用いることが好ましい。
【００３７】
光吸収層１１は上記の樹脂と光吸収材料とを含む光吸収層用樹脂組成物を、反射層１２をレンズ面１３２に形成したレンズ層１３の背面側（フレネルレンズ形状側）に塗布して硬化させることにより、形成することができる。光吸収層用樹脂組成物は、有機溶剤や水を加えて粘度を調整してもよい。光吸収層１１を形成する方法としては、特に限定されず、従来公知の方法を用いることができる。例えば、スクリーン印刷、ロールコート、グラビアリバースコート、インクジェット方式、フローコート方式、及びダイコート方式等が挙げられる。
【００３８】
光吸収層１１は、反射スクリーン１０の厚み方向において、単位レンズ１３１間の略三角形状の頂部となる点ｔから光吸収層の背面側の端までの寸法Ｌが、４〜７μｍであり、好ましくは４．５〜６．５μｍであり、より好ましくは５〜６μｍである。寸法Ｌが上記範囲程度であれば、光吸収層の割れを防いで光漏れを防ぐことができ、また外観が良好となる。
【００３９】
図２に戻って、表面層１５は、反射スクリーン１０において観察者側（映像源側）に設けられる層である。本実施形態では、表面層１５は、基材層１４の観察者側であり、反射スクリーン１０において最も観察者側となる位置に設けられている。表面層１５には、反射防止機能や防眩機能、紫外線吸収機能、防汚機能や帯電防止機能、ハードコート機能、タッチパネル機能等、適宜必要な機能を１つ又は複数選択して設けることができる。この表面層１５は、基材層１４とは別層であって不図示の粘着材等により基材層１４に接合される形態としてもよいし、基材層１４の観察者側の面に、各種機能を有する樹脂等を塗布する等により直接形成される形態としてもよい。
【００４０】
本実施形態の表面層１５は、防眩機能とハードコート機能を有している。この表面層１５は、観察者側の表面に微細な凹凸形状（マット形状）を有しており、ハードコート機能を有する電離放射線硬化型樹脂等により形成されている。この表面層１５の厚さは、約１０〜１００μｍ程度とすることができる。
【００４１】
本実施形態の反射スクリーン１０へ入射する映像光及び外光の様子を説明する。理解を容易にするために、表面層１５、基材層１４（着色層１４２及び光拡散層１４１の母材）、レンズ層１３の屈折率は等しいものとし、映像光Ｌ１及び外光Ｇ１，Ｇ２に対する光拡散層１４１の光拡散作用等は省略して、図２に示している。図２に示すように、映像源ＬＳから投影された大部分の映像光Ｌ１は、反射スクリーン１０の下方から入射し、表面層１５及び基材層１４を透過してレンズ層１３の単位レンズ１３１へ入射する。そして、映像光Ｌ１は、レンズ面１３２へ入射して反射層１２によって反射され、観察者Ｏ側へ向かって反射スクリーン１０から出射する。なお、映像光Ｌ１が反射スクリーン１０の下方から投射されており、かつ、角度β（図３（ｂ）参照）が反射スクリーン１０の画面上下方向の各点における映像光Ｌ１の入射角度よりも大きいので、映像光Ｌ１が非レンズ面１３３に直接入射することはなく、非レンズ面１３３は、映像光Ｌ１の反射には影響しない。
【００４２】
一方、照明光等の不要な外光Ｇ１，Ｇ２は、図２に示すように、主として反射スクリーン１０の上方から入射し、表面層１５及び基材層１４を透過してレンズ層１３の単位レンズ１３１へ入射する。そして、一部の外光Ｇ１は、非レンズ面１３３へ入射して、光吸収層１１によって吸収される。また、一部の外光Ｇ２は、レンズ面１３２で反射して、主として反射スクリーン１０の下方側へ向かうので、観察者Ｏには直接届かず、また、届いた場合にもその光量は、映像光Ｌ１に比べて大幅に少ない。従って、反射スクリーン１０は、外光Ｇ１，Ｇ２による映像のコントラスト低下を抑制できる。従って、本実施形態の反射スクリーン１０によれば、明室環境下であっても、コントラストが高く明るく良好な映像を表示できる。
【００４３】
本発明による反射スクリーン及び映像表示システムは、以下（１）〜（９）の変形形態とすることもできる。
【００４４】
（１）本実施形態において、反射層１２をアルミ蒸着により形成する例を示したが、他の金属の蒸着膜でもよい。また、反射層１２を白色や銀色の塗料を塗布して形成してもよいし、転写箔等により形成してもよい。
【００４５】
（２）本実施形態において、レンズ層１３は、エポキシアクリレート樹脂等の紫外線硬化型樹脂を用いる例を挙げたが、これに限らず、例えば、レンズ層１３は、熱可塑樹脂製としてもよい。このときも、押出成形や射出成形時の離型性を良好とする離型剤として、リン酸エステル等のリン酸系離型剤を用いずにシリコーン系離型剤を用いてもよい。また、離型剤を加えなくてもよい。
【００４６】
（３）本実施形態において、映像表示システム１は、短焦点型のプロジェクタである映像源ＬＳと、この映像源ＬＳから投射された映像光を反射して映像を表示する反射スクリーン１０とを備えるものとした。しかし、これに限らず、例えば、映像源ＬＳを、投射距離が長く、映像光の投射角度（即ち、スクリーンへの映像光の入射角度）が小さい従来の汎用プロジェクタとし、反射スクリーン１０をその映像源ＬＳに対応する形態としてもよい。
【００４７】
（４）本実施形態において、基材層１４は、光拡散層１４１と着色層１４２とを共押出成形することによりこれらの層が一体に積層されて形成されている。しかし、これに限らず、例えば、光拡散層１４１と着色層１４２とをそれぞれ別々に押出成形し、粘着剤層等により一体に接合して基材層１４としてもよい。また、基材層１４を単層とし、拡散材と顔料や染料等の着色材とを共に含有する形態としてもよい。さらに、基材層１４は、光拡散層１４１と着色層１４２とを備え、着色層１４２が着色材に加えて拡散材を含有する形態としたり、光拡散層１４１が拡散材に加えて着色材を含有する形態としたりしてもよい。
【００４８】
（５）本実施形態において、単位レンズ１３１は、図２等に示す断面形状が略三角形形状である例を示したが、これに限らず、例えば、略台形形状であり、レンズ面と非レンズ面とが、スクリーン面に平行な頂面を挟んで対向する形態としてもよい。このとき、頂面は、映像光の反射に寄与しない領域に形成されることが好ましい。頂面上には、光吸収層を形成してもよいし、反射層を形成してもよい。また、本実施形態において、単位レンズ１３１は、図２等に示す断面において、レンズ面１３２及び非レンズ面１３３が直線状となる例を示したが、これに限らず、この断面において、例えば、レンズ面１３２や非レンズ面１３３の一部が曲線状となっていてもよい。さらに、本実施形態において、単位レンズ１３１のレンズ面１３２及び非レンズ面１３３は、いずれも１つの面である例を示したが、これに限らず、例えば、少なくとも一方の面が、複数の面から構成される形態としてもよい。
【００４９】
（６）本実施形態において、反射スクリーン１０は、非レンズ面１３３が、光吸収層１１で被覆される例を示したが、これに限らず、非レンズ面１３３上にも反射層１２が形成される形態としてもよい。この場合、反射層１２は、単位レンズ１３１間の谷部を充填しその背面側の面が略平面状となるように形成してもよいし、単位レンズ１３１の凹凸形状に沿って所定の厚さで形成される形態としてもよいし、十分な反射特性を有しているならば、その厚さが均一でなくともよい。
【００５０】
（７）本実施形態において、反射スクリーン１０は、その背面側に設けられた支持板５０に不図示の粘着材層等を介して接合されており、略平板状である例を示したが、これに限らず、例えば、支持板５０を備えず、反射スクリーン１０が粘着材層等を介して壁面等に接合される形態としてもよいし、支持板５０を裏面に接合した状態で壁面に固定されたり、フック等の支持部材で壁面に吊り下げられる形態等としてもよい。また、本実施形態において、反射スクリーン１０は、使用時及び不使用時には略平板状である例を示したが、これに限らず、不使用時には巻き取って保管できる巻き取り可能な形態としてもよい。このような形態の場合には、支持板５０等を設けず、反射スクリーン１０の背面側を、光を透過しにくい布製又は樹脂製の遮光幕や耐傷性を向上させる層等で被覆する形態とすれば、コントラスト向上や、レンズ層や反射層の破損の防止を図ることができる。
【００５１】
（８）本実施形態において、反射スクリーン１０は、背面側から光吸収層１１、反射層１２、レンズ層１３、基材層１４（光拡散層１４１、着色層１４２）、表面層１５の順で構成される例を説明したが、これに限定されない。例えば、反射スクリーン１０は、基材層１４とレンズ層１３との間に、レンズ層１３の基材となる透明基材層を設けてもよいし、画面上下方向及び画面左右方向で拡散特性の異なる異方性拡散層等を備えてもよく、所望する光学特性等に合わせて、反射スクリーン１０の層構成は適宜変更することができる。
【００５２】
（９）本実施形態において、映像源ＬＳは、鉛直方向において反射スクリーン１０より下方に位置し、映像光Ｌが反射スクリーン１０の下方から斜め上に投射される例を示したが、これに限らず、例えば、映像源ＬＳが、鉛直方向において反射スクリーン１０より上方に位置し、映像光Ｌが反射スクリーン１０の上方から斜め下に投射される形態としてもよい。このとき、反射スクリーン１０は、図２や図３等に示すレンズ層１３の上下方向を反転させ、サーキュラーフレネルレンズの光学的中心（フレネルセンター）である点Ｃが反射スクリーン１０の上方に位置する形態とすればよい。
【実施例】
【００５３】
以下に、実施例と比較例を挙げて本発明をさらに具体的に説明するが、本発明は以下の実施例に限定解釈されるものではない。
【００５４】
＜反射スクリーン１の製造＞
まず、基材層１４を用意し、その一方の面に表面層１５を形成した。続いて、基材層１４の表面層１５とは反対側の面にレンズ層１３を形成した。このレンズ層１３は、紫外線硬化型樹脂を含むレンズ層形成用樹脂組成物を充填したフレネルレンズ形状を賦形する成形型に基材層１４を押圧し、紫外線を照射して硬化させた後に成形型を離型する紫外線成形法等により作成した。そして、レンズ面１３２上に、アルミ蒸着により反射層１２を形成した。
【００５５】
次に、ロールコート法により、ウレタン系樹脂（Ｔｇ＝０〜１０℃、ブチルセロソルブ及びブチルジグリコール含有、粘度：約１５０００ｍＰａ・ｓ）と黒色顔料とを含む光吸収層形成用樹脂組成物（固形分：３３％）を塗布して、６０℃で１０分間乾燥、硬化させ、光吸収層１１を形成して、反射スクリーン１を得た。単位レンズの略三角形状の頂部から光吸収層の背面側の端までの寸法Ｌは、５μｍであった。
【００５６】
＜反射スクリーン２〜６の製造＞
表１に示すように、Ｔｇの異なるウレタン系樹脂に変更するか、あるいは光吸収層の寸法Ｌを変更した以外は、反射スクリーン１と同様にして反射スクリーン２〜６を製造した。
【００５７】
＜光吸収層の状態評価＞
上記で製造した反射スクリーン１〜６の断面を金属顕微鏡（ＯＬＹＭＰＵＳ（株）製、型番：ＳＴＭ６−Ｆ１０−２）で観察し、単位レンズ１３１の略三角形状の頂点ｔ付近の光吸収層１１の状態を、下記の評価基準で評価した。結果を表１に示す。
＜評価基準＞
・○：光吸収層１１の割れも剥がれも発生していなかった。
・×：光吸収層１１の割れ又は剥がれが発生していた。
【００５８】
また、実施例１の反射スクリーン１及び比較例１の反射スクリーン３の断面の電子顕微鏡写真を、それぞれ図４及び図５に示す。図４では、単位レンズ１３１の略三角形状の頂点ｔ付近で光吸収層１１の割れも剥がれも発生していないことが分かる。一方、図５では、点線で丸く囲んだ箇所を見ると、単位レンズ１３１の略三角形状の頂点ｔ付近で光吸収層１１の剥がれが発生していることが分かる。
【００５９】
＜外観評価＞
上記で製造した反射スクリーン１〜６について、目視により映像源側（観察者側）からの外観を、下記の評価基準で評価した。
＜評価基準＞
・○：光吸収層１１の影響による外観の変化はなかった。
・×：光吸収層１１の影響で木目調が観察された。
【００６０】
【表１】
2015068943.tif 000003
【符号の説明】
【００６１】
１        映像表示システム
１０      反射スクリーン
１１      光吸収層
１２      反射層
１３      レンズ層
１３１    単位レンズ
１３２    レンズ面
１３３    非レンズ面
１４      基材層
１４１    光拡散層
１４２    着色層
１５      表面層
ＬＳ      映像源
【図１】
2015068943.tif 000004
【図２】
2015068943.tif 000005
【図３】
2015068943.tif 000006
【図４】
2015068943.tif 000007
【図５】
2015068943.tif 000008